(57)【要約】【課題】浸水するリスクのない環境において無駄にアラームを発することなく防水蓋の開閉を検知することのできる端末装置を提供する。【解決手段】液体が入り込むことを防ぐ蓋の開閉状態の検知を行うか否かの判定を開始するための条件を示す判定開始条件情報を取得する。また判定開始条件情報に基づいて蓋の開閉状態の検知を行うか否かを判定する。そして、蓋の開閉状態の検知を行うと判定された場合に蓋の開閉状態の検知を行い、蓋の開閉状態が開であることを検知した場合にはアラーム情報を出力する。【選択図】図１
2013258448.tif 000002
【特許請求の範囲】
【請求項１】
自装置に液体が入り込むことを防ぐ蓋の開閉状態の検知を行うか否かの判定を開始するための条件を示す判定開始条件情報を取得する判定開始条件情報取得部と、
前記判定開始条件情報に基づいて前記蓋の開閉状態の検知を行うか否かを判定する開閉状態検知有無判定部と、
前記蓋の開閉状態の検知を行うと判定された場合に前記蓋の開閉状態の検知を行う開閉状態検知部と、
前記蓋の開閉状態が開であることを検知した場合にはアラーム情報を出力するアラーム情報出力部と、
を備えることを特徴とする端末装置。
【請求項２】
前記判定開始条件情報が位置情報を示し、
前記開閉状態検知有無判定部は、当該判定開始条件情報の示す位置情報に基づいて取得した現在位置と、あらかじめ定められた指定位置との関係に基づいて、前記蓋の開閉状態の検知を行うか否かを判定する
ことを特徴とする請求項１に記載の端末装置。
【請求項３】
前記判定開始条件情報が液体検知の情報を示し、
前記開閉状態検知有無判定部は、当該判定開始条件情報の示す液体検知の情報に基づいて取得した液体検知有無に基づいて、前記蓋の開閉状態の検知を行うか否かを判定する
ことを特徴とする請求項１または請求項２に記載の端末装置。
【請求項４】
前記判定開始条件情報が情報配信装置のアクセス先を示し、
前記開閉状態検知有無判定部は、当該判定開始条件情報の示すアクセス先に基づいて取得した取得情報に基づいて、前記蓋の開閉状態の検知を行うか否かを判定する
ことを特徴とする請求項１から請求項３の何れか一項に記載の端末装置。
【請求項５】
自装置に液体が入り込むことを防ぐ蓋の開閉状態の検知を行うか否かの判定を開始するための条件を示す判定開始条件情報を取得する判定開始条件情報取得部と、
前記判定開始条件情報に基づいて前記蓋の開閉状態の検知を行うか否かを判定する開閉状態検知有無判定部と、
前記蓋の開閉状態の検知を行うと判定された場合に前記蓋の開閉状態の検知を行う開閉状態検知部と、
前記蓋の開閉状態が開であることを検知した場合にはアラーム情報を出力するアラーム情報出力部と、
を備えることを特徴とするコンピュータ装置。
【請求項６】
端末装置が、
自装置に液体が入り込むことを防ぐ蓋の開閉状態の検知を行うか否かの判定を開始するための条件を示す判定開始条件情報を取得し、
前記判定開始条件情報に基づいて前記蓋の開閉状態の検知を行うか否かを判定し、
前記蓋の開閉状態の検知を行うと判定された場合に前記蓋の開閉状態の検知を行い、
前記蓋の開閉状態が開であることを検知した場合にはアラーム情報を出力する
ことを特徴とする処理方法。
【請求項７】
端末装置のコンピュータを、
自装置に液体が入り込むことを防ぐ蓋の開閉状態の検知を行うか否かの判定を開始するための条件を示す判定開始条件情報を取得する判定開始条件情報取得手段、
前記判定開始条件情報に基づいて前記蓋の開閉状態の検知を行うか否かを判定する開閉状態検知有無判定手段、
前記蓋の開閉状態の検知を行うと判定された場合に前記蓋の開閉状態の検知を行う開閉状態検知手段、
前記蓋の開閉状態が開であることを検知した場合にはアラーム情報を出力するアラーム情報出力手段、
として機能させることを特徴とするプログラム。
【発明の詳細な説明】
【技術分野】
【０００１】
本発明は、液体が入り込むことを防ぐ蓋の開閉状態の検知を行う端末装置、コンピュータ装置、処理方法、プログラムに関する。
【背景技術】
【０００２】
防水仕様の端末装置などのコンピュータを、浸水するリスクのある環境下で使用する際に、当該端末装置の防水蓋を開状態のまま使用してしまい端末装置の内部に水を浸水させ故障させてしまうという問題があった。そして、このような問題を解決するための技術として、蓋の開閉状態を検知して開となっている場合にはアラームを出力する技術が開示されている（特許文献１参照）。
【先行技術文献】
【特許文献】
【０００３】
【特許文献１】特開２００９−２１３０７３号公報
【発明の概要】
【発明が解決しようとする課題】
【０００４】
しかしながら上述の技術では、浸水するリスクのない環境においても、防水蓋があいている場合にはアラームを発する技術である。したがって、浸水するリスクのない環境において無駄にアラームを発することとなり不便であるという問題が発生する可能性がある。
【０００５】
そこでこの発明は、上述の課題を解決することのできる端末装置、コンピュータ装置、処理方法、プログラムを提供することを目的としている。
【課題を解決するための手段】
【０００６】
上記目的を達成するために、本発明は、自装置に液体が入り込むことを防ぐ蓋の開閉状態の検知を行うか否かの判定を開始するための条件を示す判定開始条件情報を取得する判定開始条件情報取得部と、前記判定開始条件情報に基づいて前記蓋の開閉状態の検知を行うか否かを判定する開閉状態検知有無判定部と、前記蓋の開閉状態の検知を行うと判定された場合に前記蓋の開閉状態の検知を行う開閉状態検知部と、前記蓋の開閉状態が開であることを検知した場合にはアラーム情報を出力するアラーム情報出力部と、を備えることを特徴とする端末装置である。
【０００７】
また本発明は、自装置に液体が入り込むことを防ぐ蓋の開閉状態の検知を行うか否かの判定を開始するための条件を示す判定開始条件情報を取得する判定開始条件情報取得部と、前記判定開始条件情報に基づいて前記蓋の開閉状態の検知を行うか否かを判定する開閉状態検知有無判定部と、前記蓋の開閉状態の検知を行うと判定された場合に前記蓋の開閉状態の検知を行う開閉状態検知部と、前記蓋の開閉状態が開であることを検知した場合にはアラーム情報を出力するアラーム情報出力部と、を備えることを特徴とするコンピュータ装置である。
【０００８】
また本発明は、端末装置が、自装置に液体が入り込むことを防ぐ蓋の開閉状態の検知を行うか否かの判定を開始するための条件を示す判定開始条件情報を取得し、前記判定開始条件情報に基づいて前記蓋の開閉状態の検知を行うか否かを判定し、前記蓋の開閉状態の検知を行うと判定された場合に前記蓋の開閉状態の検知を行い、前記蓋の開閉状態が開であることを検知した場合にはアラーム情報を出力することを特徴とする処理方法である。
【０００９】
また本発明は、端末装置のコンピュータを、自装置に液体が入り込むことを防ぐ蓋の開閉状態の検知を行うか否かの判定を開始するための条件を示す判定開始条件情報を取得する判定開始条件情報取得手段、前記判定開始条件情報に基づいて前記蓋の開閉状態の検知を行うか否かを判定する開閉状態検知有無判定手段、前記蓋の開閉状態の検知を行うと判定された場合に前記蓋の開閉状態の検知を行う開閉状態検知手段、前記蓋の開閉状態が開であることを検知した場合にはアラーム情報を出力するアラーム情報出力手段、として機能させることを特徴とするプログラムである。
【発明の効果】
【００１０】
本発明によれば、開閉状態の検知開始条件に基づいて、あらかじめ開閉状態を検知すべきかどうかを判定しているため、浸水するリスクのない環境において無駄にアラームを発することとなり不便であるという問題を解消することができる。
【図面の簡単な説明】
【００１１】
【図１】端末装置の構成を示すブロック図である。
【図２】端末装置１に構成される機能ブロックを示す図である。
【図３】端末装置１の処理フローを示す第１の図である。
【図４】端末装置１の処理フローを示す第２の図である。
【発明を実施するための形態】
【００１２】
以下、本発明の一実施形態による端末装置を図面を参照して説明する。
図１は同実施形態による端末装置の構成を示すブロック図である。
この図において、符号１は端末装置を示している。端末装置１は、ＧＰＳ受信部１１、無線通信部１２、防水蓋の開閉状態検知回路１３、入力キー１４、メモリ１５、ＣＰＵ１６、水滴センサ１７、ＬＥＤ（Light Emitting Diode）回路１８、スピーカ回路１９、バイブレータ回路２０、表示部２１の各構成を備えている。
【００１３】
ＧＰＳ受信部１１は、ＧＰＳ衛星の発信する信号を受信する。
また無線通信部１２は、他の装置と無線通信を行う。
また防水蓋の開閉状態検知回路１３（開閉状態検知部）は、端末装置１内に水などの液体が入り込むことを防ぐための機能である防水蓋であって電池カバーやコネクタ（例えばＵＳＢコネクタ）などの端末装置１の内部回路に液体が入り込む可能性のある防水蓋の機構における開閉状態（液体が入り込む可能性があるか否か）を検知する回路である。
また入力キー１４は、端末装置１に情報を入力するための入力部の機能である。
またメモリ１５は、各種情報を記憶する記憶部の機能である。
またＣＰＵ１６は、各種演算処理を行う。
また水滴センサ１７は、端末装置１に水滴などの液体が付着したことを検出する。
またＬＥＤ回路１８は、ＣＰＵ１６の制御に基づいて発光する。
またスピーカ回路１９は、ＣＰＵ１６の制御に基づいて音を発信する。
またバイブレータ回路２０は着信時に端末装置１に振動を加えるための回路である。
また表示部２１は、各種情報を表示する。
【００１４】
図２はＣＰＵ１６がプログラムを実行することによって端末装置１に構成される機能ブロックを示す図である。
図１で示すような端末装置１においてＣＰＵ１６はメモリ１５等に記録されている開閉検知プログラムを実行する。これにより、ＣＰＵ１６には、制御部１０１、判定開始条件情報取得部１０２、開閉状態検知有無判定部１０３、アラーム情報出力部１０４の各機能を備えることとなる。
【００１５】
ここで、制御部１０１は他の各処理部を制御する。
また判定開始条件情報取得部１０２は、端末装置１に液体が入り込むことを防ぐ防水蓋の開閉状態の検知を行うか否かの判定を開始するための条件を示す判定開始条件情報を取得する処理部である。
また開閉状態検知有無判定部１０３は、取得された判定開始条件情報に基づいて防水蓋の開閉状態の検知を行うか否かを判定する処理部である。
またアラーム情報出力部１０４は、防水蓋の開閉状態が開であることを検知した場合にはアラーム情報を出力する処理部である。
【００１６】
以下、端末装置１の処理の詳細について順を追って説明する。
図３は端末装置１の処理フローを示す第１の図である。
端末装置１において、開閉検知プログラムを利用して防水蓋の開閉状態を検知させるためにユーザは、事前に、当該開閉状態の検知を行うか否かの判定を開始するための条件を示す判定開始条件の設定を行うことが必要である。当該判定開始条件の設定において、まずユーザは、開閉検知プログラムを起動する操作を行うと共に、端末装置１を操作して判定開始条件を設定するためのメニュー画面を表示部２１に表示させる操作を行う。この時制御部１０１はメニュー画面を表示部２１に表示させるかどうかの判定を行い（ステップＳ１１）、表示させると判定した場合には、制御部１０１はメニュー画面を表示部２１に表示する。当該メニュー画面には判定開始条件の設定するための入力欄や選択欄が含まれる。そしてユーザはメニュー画面に判定開始条件の設定のための情報を入力し、またはその情報について選択し、登録ボタンを押下する。すると制御部１０１は、判定開始条件の情報の入力を検知し（ステップＳ１２）、入力または選択された判定開始条件の情報をメモリ１５に登録する（ステップＳ１３）。以上の作業により防水蓋の開閉状態の判定開始条件の設定の処理が完了する。
【００１７】
ここで判定開始条件の情報は、例えば位置情報である。つまりユーザは、開閉検知プログラムを利用する位置の情報を、メニュー画面を用いて登録する。このとき、開閉状態検知有無判定部１０３は、当該判定開始条件の情報が示す位置情報に基づいて取得した現在位置と、あらかじめ定められた指定位置との関係に基づいて、防水蓋の開閉状態の検知を行うか否かを判定する。
【００１８】
または判定開始条件の情報は、液体検知を示す情報である。つまりユーザは、液体を検知した場合に開閉検知プログラムを利用することを、メニュー画面を用いて登録する。なお本実施形態においては液体の検知は水滴センサ１７で行うものとする。このとき、開閉状態検知有無判定部１０３は、当該判定開始条件の情報が示す液体検知の情報に基づいて取得した液体検知有無に基づいて、防水蓋の開閉状態の検知を行うか否かを判定する。
【００１９】
または判定開始条件の情報は、情報配信装置のアクセス先を示す情報である。つまりユーザは、アクセス先で示される情報配信装置から得た情報に基づいて、開閉検知プログラムを利用するかどうかを登録する。このとき、開閉状態検知有無判定部１０３は、当該判定開始条件情報の示すアクセス先に基づいて取得した取得情報に基づいて、防水蓋の開閉状態の検知を行うか否かを判定する。
【００２０】
図４は端末装置１の処理フローを示す第２の図である。
上述の処理によって、判定開始条件の設定処理が完了すると、端末装置１の制御部１０１は、判定開始条件情報取得部１０２に処理の開始を指示する。すると判定開始条件情報取得部１０２は、例えば所定の間隔ごとに判定開始条件の情報をメモリ１５から読み取って（ステップＳ２１）、防水蓋の開閉状態の検知を行うか否かを判定する。なお、本実施形態においては、判定開始条件の情報として、上述した位置情報、液体検知を示す情報、情報配信装置のアクセス先を示す情報の３つが登録されているものとする。この場合、端末装置１の判定開始条件情報取得部１０２は、メモリ１５からすべての判定開始条件を順に読み取る。
【００２１】
そして、判定開始条件の情報が取得できた場合、判定開始条件情報取得部１０２は、当該取得した判定開始条件の情報を開閉状態検知有無判定部１０３へ出力する。そして開閉状態検知有無判定部１０３は、一つ目の判定開始条件の情報である位置情報の取得に基づいて、現在の位置情報の取得が必要であると判定する（ステップＳ２２Ｙｅｓ）。すると開閉状態検知有無判定部１０３は、ＧＰＳ受信部１１に位置情報を要求する。そして開閉状態検知有無判定部１０３は、ＧＰＳ受信部１１から現在の端末装置１の位置情報を取得する（ステップＳ２３）。
【００２２】
また同様に開閉状態検知有無判定部１０３は、二つ目の判定開始条件の情報である液体検知を示す情報の取得に基づいて、液体検知を行うと判定する（ステップＳ２４Ｙｅｓ）。すると開閉状態検知有無判定部１０３は、水滴センサ１７に検知開始を要求する。すると水滴センサ１７は水滴などの液体が検知できるかどうかを判定し、検知または無検知を示す判定結果を開閉状態検知有無判定部１０３へ出力する。そして開閉状態検知有無判定部１０３は、水滴センサ１７より判定結果を入力する（ステップＳ２５）。
【００２３】
また同様に開閉状態検知有無判定部１０３は、三つ目の判定開始条件の情報である情報配信装置のアクセス先を示す情報の取得に基づいて、情報配信装置のアクセス先へアクセスして情報を取得すると判定する（ステップＳ２６Ｙｅｓ）。すると開閉状態検知有無判定部１０３は、当該アクセス先の情報（ＵＲＬ等）に基づいて、無線通信部１２を介して無線通信ネットワークや有線通信ネットワークを介して接続された情報配信装置へアクセスする。そして情報配信装置より所定の情報を受信する（ステップＳ２７）。
【００２４】
そして、開閉状態検知有無判定部１０３は、ステップＳ２３において位置情報を取得できた場合には、ＧＰＳ受信部１１から取得した位置情報と、判定開始条件として取得した位置情報とを比較する。また開閉状態検知有無判定部１０３は、ＧＰＳ受信部１１から取得した位置情報と、判定開始条件として取得した位置情報との比較の結果、それら位置情報が所定の距離の閾値以下である場合には、開閉状態の検知を開始すると判定する（ステップＳ２８Ｙｅｓ）。
また開閉状態検知有無判定部１０３は、ステップＳ２５において判定結果を入力した場合には、水滴センサ１７より入力した判定結果が液体（水滴）の“検知”を示すかどうかを判定し、“検知”を示す場合には、防水蓋の開閉状態の検知を開始すると判定する（ステップＳ２８Ｙｅｓ）。
また開閉状態検知有無判定部１０３は、ステップＳ２７において受信した情報に基づいて、防水蓋の開閉状態の検知を開始すると判定する（ステップＳ２８Ｙｅｓ）。
【００２５】
ここで情報配信装置より受信する所定の情報は、防水蓋の開閉状態を検知するかどうかを判定する情報であればどのような情報であってもよい。たとえば、情報配信装置が気象予測を行う機関の保有する情報配信装置であり、情報配信装置は、端末装置からのアクセスに基づいてそのＩＰアドレス等から地域を特定してその地域について判定した気象情報を所定の情報として端末装置１へ送信する。そして開閉状態検知有無判定部１０３は、受信した情報が気象情報である場合、その気象情報に含まれる天気フラグが雨かどうかを判定する。開閉状態検知有無判定部１０３は、天気フラグが雨を示す場合には、防水蓋の開閉状態の検知を開始すると判定する。
【００２６】
なお、上述の処理の説明では、開閉状態検知有無判定部１０３は、受信した全ての判定開始条件の情報に基づいて、開閉状態の検知を開始するかどうかについて判定している。しかしながら、受信した複数の判定開始条件の情報のうち、いずれか一つまたは複数を用いて、開閉状態の検知を開始するかどうかについて判定するようにしてもよい。
【００２７】
そして、開閉状態検知有無判定部１０３は、防水蓋の開閉状態の検知を開始すると判定した場合には、開閉状態検知回路１３に対して開閉状態検知開始を通知する。すると、開閉状態検知回路１３は、防水蓋の開閉状態の検知を行う。そして、開閉状態検知回路１３は防水蓋が開か閉かを検知し（ステップＳ２９）、開または閉を示す開閉状態検知結果をＣＰＵ１６へ出力する。すると制御部１０１は、アラーム情報出力部１０４に開閉状態検知結果を出力する。
【００２８】
そしてアラーム情報出力部１０４は、開閉状態検知結果が「開」を示す場合にのみ、ＬＥＤ回路１８またはスピーカ回路１９またはバイブレータ回路２０または表示部２１の何れか１つまたは複数に対して、アラーム情報を出力するよう指示するアラーム出力信号を出力する。これによりアラーム出力信号を入力したＬＥＤ回路１８またはスピーカ回路１９またはバイブレータ回路２０または表示部２１の何れか一つまたは複数は、アラーム出力信号に基づいて動作する（ステップＳ３０）。
【００２９】
つまり、ＬＥＤ回路１８がアラーム出力信号を入力した場合、当該ＬＥＤ回路１８は、ＬＥＤを発光させる。またスピーカ回路１９がアラーム出力信号を入力した場合には、当該スピーカ回路１９はスピーカからアラーム音を発する。またバイブレータ回路２０がアラーム出力信号を入力した場合には、当該バイブレータ回路２０はバイブレータを動作させる。また表示部２１がアラーム出力信号を入力した場合には、当該表示部２１は、防水蓋が開状態となっていることを示す警告画面を出力する。
【００３０】
以上の処理によれば、端末装置１は、防水蓋の閉じ忘れによる浸水故障を抑制する効果を発揮することができる。また上述の端末装置１によれば、防水蓋の開閉検出機能起動の条件を時間、位置情報、天気情報などの判定開始条件をユーザが自由に設定可能なため、ユーザの利用シーンに合った防水蓋の開閉状態の検知開始条件を設定することができる。
また上述の処理によれば、開閉状態の検知開始条件に基づいて、あらかじめ開閉状態を検知すべきかどうかを判定しているため、浸水するリスクのない環境において無駄にアラームを発することとなり不便であるという問題を解消することができる。
【００３１】
なお、上述した端末装置１の処理の他、当該端末装置１は、防水蓋の開閉検知をユーザ操作に基づいて即時行うことも可能である。この場合、例えばユーザが表示部２１に表示されたメニュー画面から開閉検知を選択して入力キー１４を用いて当該選択を入力する。これによりＣＰＵ１６の開閉状態検知有無判定部１０３が防水蓋の開閉状態の検知を開始すると判定し、これにより、開閉状態検知回路１３が開閉状態の検知を開始する。
【００３２】
また、上述した端末装置1の処理の他、当該端末装置１では、照度センサや加速度センサ、温度センサなどの測定値の変化の情報を用いて、開閉状態検知有無判定部１０３が防水蓋の開閉状態の検知を開始すると判定し、これにより、開閉状態検知回路１３が開閉状態の検知を開始するようにしてもよい。
【００３３】
また、上述した端末装置1の処理の他、ウェブブラウザ機能や、ワンセグ放送受信機能、カメラ機能などの特定の機能を端末装置１において起動処理が行われた際に、開閉状態検知有無判定部１０３が防水蓋の開閉状態の検知を開始すると判定し、これにより、開閉状態検知回路１３が開閉状態の検知を開始するようにしてもよい。
【００３４】
なお、上述の端末装置１において、開閉状態検知回路１３が防水蓋の開閉状態を検知する手法は、公知の技術を利用すればどのような技術であってもよい。
【００３５】
上述の端末装置１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
１１・・・ＧＰＳ受信部
１２・・・無線通信部
１３・・・開閉状態検知回路
１４・・・入力キー
１５・・・メモリ
１６・・・ＣＰＵ
１７・・・水滴センサ
１８・・・ＬＥＤ回路
１９・・・スピーカ回路
２０・・・バイブレータ回路
２１・・・表示部
１０１・・・制御部
１０２・・・判定開始条件情報取得部
１０３・・・開閉状態検知有無判定部
１０４・・・アラーム情報出力部
【図１】
2013258448.tif 000003
【図２】
2013258448.tif 000004
【図３】
2013258448.tif 000005
【図４】
2013258448.tif 000006